(57)【特許請求の範囲】
【請求項１】
ユーザ端末に対するログインサイトを公開するログインサーバと、
公開者ＩＤ(IDentifier)が付与されたパネルが並ぶページサイトを公開するＷｅｂサーバと、
公開者ＩＤ毎に、ユーザＩＤを照合する照合装置と
を有するシステムのユーザＩＤ通知方法であって、
照合装置が、公開者ＩＤ毎に、ユーザＩＤを登録する第１のステップと、
ログインサーバが、ログイン認証に成功したユーザ端末のユーザＩＤを、Ｗｅｂサーバへ送信する第２のステップと、
Ｗｅｂサーバが、ログインサーバから受信したユーザＩＤを、照合装置へ送信する第３のステップと、
照合装置が、Ｗｅｂサーバから受信したユーザＩＤが既に登録されているか否を判定し、真と判定したユーザＩＤに対応する公開者ＩＤを、当該Ｗｅｂサーバへ応答する第４のステップと、
Ｗｅｂサーバが、公開者ＩＤに対応する公開者端末へ向けて、当該ユーザＩＤを通知する第５のステップと
を有することを特徴とするシステムのユーザＩＤ通知方法。
【請求項２】
システムは、デジタル展示会に基づくものであって、
ログインサーバは、主催者サーバであり、
Ｗｅｂサーバは、展示会サーバであり、
公開者端末は、出展者が操作する端末であり、
ページサイトは、スクロール方向を進行方向とした複数のパネルが並んでおり、
パネルは、出展者専用サイトの入口となる画像又は動画であり、
ユーザ端末は、展示会内を閲覧するユーザとして操作される
ことを特徴とする請求項１に記載のシステムのユーザＩＤ通知方法。
【請求項３】
第１のステップについて、照合装置は、公開者ＩＤ毎に、メッセージを登録し、
第４のステップについて、照合装置は、公開者ＩＤと共に、メッセージを、当該Ｗｅｂサーバへ応答し、
Ｗｅｂサーバは、ユーザ端末へメッセージを送信し、当該メッセージを当該ユーザ端末に表示させる第６のステップと
を更に有することを特徴とする請求項１又は２に記載のシステムのユーザＩＤ通知方法。
【請求項４】
メッセージには、ページサイトのスクロール位置又は他のページサイトのアドレスが記述されており、
ユーザ操作に応じてユーザ端末から、当該ページサイトのスクロール位置又は他のページサイトのアドレスへアクセスされる
ことを特徴とする請求項３に記載のシステムのユーザＩＤ通知方法。
【請求項５】
第１のステップについて、照合装置は、ユーザＩＤに対応する個人情報を更に登録し、
第５のステップについて、
Ｗｅｂサーバが、ユーザＩＤを含む専用ページを公開者端末へ通知し、
公開者端末が、専用ページを実行することによって、ユーザＩＤを含む個人情報取得要求を照合装置へ送信し、
照合装置が、ユーザＩＤに対応する個人情報を、公開者端末へ応答し、
公開者端末が、専用ページの中で、ユーザＩＤに対応する個人情報を表示する
ことを特徴とする請求項１から４のいずれか１項に記載のシステムのユーザＩＤ通知方法。
【請求項６】
第１のステップについて、
照合装置は、公開者端末に対して、認証シーケンスを予め実行し、
公開者端末は、ユーザＩＤを照合装置に登録する
ことを特徴とする請求項１から５のいずれか１項に記載のシステムのユーザＩＤ通知方法。
【請求項７】
ユーザ端末に対するログインサイトを公開するログインサーバと、
パネルが並ぶページサイトを公開するＷｅｂサーバと、
公開者ＩＤ毎に、ユーザＩＤを照合する照合装置と
を有するシステムであって、
ログインサーバは、ログイン認証に成功したユーザ端末のユーザＩＤを、Ｗｅｂサーバへ送信し、
照合装置は、
公開者ＩＤ毎に、ユーザＩＤを登録するユーザ情報登録手段と、
Ｗｅｂサーバから受信したユーザＩＤが既に登録されているか否を判定し、真と判定したユーザＩＤに対応する公開者ＩＤを、当該Ｗｅｂサーバへ応答するユーザＩＤ判定手段と
を有し、
Ｗｅｂサーバは、
ログインサーバから受信したユーザＩＤを、照合装置へ送信する照合要求手段と、
公開者ＩＤに対応する公開者端末へ向けて、当該ユーザＩＤを通知するユーザＩＤ通知手段と
を有することを特徴とするシステム。
【発明の詳細な説明】
【技術分野】
【０００１】
本発明は、個人情報としてのユーザＩＤ(IDentifier)を照合する技術に関する。特に、デジタル展示会における主催者と出展者との間で、個人情報を照合する用途に適する。
【背景技術】
【０００２】
従来の展示会や見本市によれば、出展者としては、自社の商品やサービスなどを、ショーケースに展示し又はデモンストレーションによって、一度に多数の来場者へアピールすることができる。
また、来場者としては、展示会等に来場するだけで、多数の出展者の商品やサービスを見ることができるだけでなく、自ら目的とする商品等の比較検討や、出展者と対面で商談までもすることができる。
更に、主催者としては、展示会や見本市を大規模に開催するほど、出展者から出展料を徴収し、来場者からは来場費を徴収することによって、ビジネスとして成立していた。
【０００３】
一方で、近年、コロナ禍の下、ニューノーマル（新たな常態）に対応するために、大規模な展示会や見本市を開催することによって集客することが困難となってきている。人の流れを抑制するべく、企業の社員であっても、テレワーク化によって、リアル展示会に足を運ぶこともできなくなっている。
【０００４】
これに対し、「デジタル展示会」（オンライン展示会、バーチャル展示会）が注目されてきている。デジタル展示会によれば、リアルな会場に集客することなく、インターネット上の仮想空間の会場に集客する。特に、リアルな会場で展示会を運営していた主催者が、リアル展示会のリプレイスとして、デジタル展示会のプラットフォームを提供しようとしている。
【０００５】
従来、リアル展示会で利用されていた展示会管理システムの技術がある（例えば特許文献１参照）。この技術によれば、展示会の出展者が、ブースで行う来場者の情報を知った状態で、その来場者と応対することができる。システムとしては、来場者の来場者端末と、出展者の出展者端末と、サーバ装置とを有する。サーバ装置は、来場者の来訪情報を来場者端末から取得し、出展者端末へ、その来場者の情報を閲覧可能な出展者閲覧用画面を提供する。
【先行技術文献】
【特許文献】
【０００６】
【特許文献１】特開２０２０−１６１０３６号公報
【非特許文献】
【０００７】
【非特許文献１】XMLHttpRequestの解説、[online]、［令和３年１月２８日検索］、インターネット＜URL:https://b-risk.jp/blog/2020/09/ajax/＞
【非特許文献２】axiosの解説、[online]、［令和３年１月２８日検索］、インターネット＜URL:https://qiita.com/ksh-fthr/items/2daaaf3a15c4c11956e9＞
【発明の概要】
【発明が解決しようとする課題】
【０００８】
しかしながら、特許文献１に記載の技術は、リアル展示会を想定したものである。そのために、この技術をデジタル展示会に適用した場合、例えば以下のような課題がある。
【０００９】
第１の課題として、特許文献１に記載の技術によれば、来場者情報データベースから来場者情報がそのまま、出展者端末に提供されることにある。来場者情報は、個人情報であって秘匿性を要するものである。このような個人情報が、出展者端末に表示されることには、個人情報の漏洩が問題となる。
【００１０】
第２の課題として、リアル展示会であってもデジタル展示会であっても、主催者と出展者とが存在する。主催者は、デジタル展示会に来場する来場者の個人情報を自ら保持し、一方で、出展者も、日頃の営業活動によって顧客の個人情報を自ら保持している。このように、主催者も出展者もユーザの個人情報は、極めて重要な営業秘密情報である。デジタル展示会を一緒に開催しようとする主催者及び出展者であっても、自らの営業秘密情報を交換することはできない。
【００１１】
これに対し、本願の発明者は、デジタル展示会に限らず、ログインサーバ（主催者）の個人情報と、公開者（出展者）が保有するユーザの個人情報とが相互に漏洩することなく、ログインしたユーザ（来場者）のユーザＩＤをページサイトの公開者（出展者）に通知し、そのユーザを事前に特定させることが、出展者の営業上も有効であろう、と考えた。
【００１２】
そこで、本発明は、ログインしたユーザＩＤをページサイトの公開者に通知し、そのユーザを事前に特定させることができるユーザＩＤ通知方法及びシステムを提供することを目的とする。
【課題を解決するための手段】
【００１３】
本発明によれば、ユーザ端末に対するログインサイトを公開するログインサーバと、
公開者ＩＤが付与されたパネルが並ぶページサイトを公開するＷｅｂサーバと、
公開者ＩＤ毎に、ユーザＩＤを照合する照合装置と
を有するシステムのユーザＩＤ通知方法であって、
照合装置が、公開者ＩＤ毎に、ユーザＩＤを登録する第１のステップと、
ログインサーバが、ログイン認証に成功したユーザ端末のユーザＩＤを、Ｗｅｂサーバへ送信する第２のステップと、
Ｗｅｂサーバが、ログインサーバから受信したユーザＩＤを、照合装置へ送信する第３のステップと、
照合装置が、Ｗｅｂサーバから受信したユーザＩＤが既に登録されているか否を判定し、真と判定したユーザＩＤに対応する公開者ＩＤを、当該Ｗｅｂサーバへ応答する第４のステップと、
Ｗｅｂサーバが、公開者ＩＤに対応する公開者端末へ向けて、当該ユーザＩＤを通知する第５のステップと
を有することを特徴とする。
【００１４】
本発明のシステムのユーザＩＤ通知方法によれば、
システムは、デジタル展示会に基づくものであって、
ログインサーバは、主催者サーバであり、
Ｗｅｂサーバは、展示会サーバであり、
公開者端末は、出展者が操作する端末であり、
ページサイトは、スクロール方向を進行方向とした複数のパネルが並んでおり、
パネルは、出展者専用サイトの入口となる画像又は動画であり、
ユーザ端末は、展示会内を閲覧するユーザとして操作される
ことも好ましい。
【００１５】
本発明のシステムのユーザＩＤ通知方法によれば、
第１のステップについて、照合装置は、公開者ＩＤ毎に、メッセージを登録し、
第４のステップについて、照合装置は、公開者ＩＤと共に、メッセージを、当該Ｗｅｂサーバへ応答し、
Ｗｅｂサーバは、ユーザ端末へメッセージを送信し、当該メッセージを当該ユーザ端末に表示させる第６のステップと
を更に有することも好ましい。
【００１６】
本発明のシステムのユーザＩＤ通知方法によれば、
メッセージには、ページサイトのスクロール位置又は他のページサイトのアドレスが記述されており、
ユーザ操作に応じてユーザ端末から、当該ページサイトのスクロール位置又は他のページサイトのアドレスへアクセスされる
ことも好ましい。
【００１７】
本発明のシステムのユーザＩＤ通知方法によれば、
第１のステップについて、照合装置は、ユーザＩＤに対応する個人情報を更に登録し、
第５のステップについて、
Ｗｅｂサーバが、ユーザＩＤを含む専用ページを公開者端末へ通知し、
公開者端末が、専用ページを実行することによって、ユーザＩＤを含む個人情報取得要求を照合装置へ送信し、
照合装置が、ユーザＩＤに対応する個人情報を、公開者端末へ応答し、
公開者端末が、専用ページの中で、ユーザＩＤに対応する個人情報を表示する
ことも好ましい。
【００１８】
本発明のシステムのユーザＩＤ通知方法によれば、
第１のステップについて、
照合装置は、公開者端末に対して、認証シーケンスを予め実行し、
公開者端末は、ユーザＩＤを照合装置に登録する
ことも好ましい。
【００１９】
本発明のシステムのユーザＩＤ通知方法によれば、
ユーザ端末に対するログインサイトを公開するログインサーバと、
パネルが並ぶページサイトを公開するＷｅｂサーバと、
公開者ＩＤ毎に、ユーザＩＤを照合する照合装置と
を有するシステムであって、
ログインサーバは、ログイン認証に成功したユーザ端末のユーザＩＤを、Ｗｅｂサーバへ送信し、
照合装置は、
公開者ＩＤ毎に、ユーザＩＤを登録するユーザ情報登録手段と、
Ｗｅｂサーバから受信したユーザＩＤが既に登録されているか否を判定し、真と判定したユーザＩＤに対応する公開者ＩＤを、当該Ｗｅｂサーバへ応答するユーザＩＤ判定手段と
を有し、
Ｗｅｂサーバは、
ログインサーバから受信したユーザＩＤを、照合装置へ送信する照合要求手段と、
公開者ＩＤに対応する公開者端末へ向けて、当該ユーザＩＤを通知するユーザＩＤ通知手段と
を有することを特徴とする。
【発明の効果】
【００２０】
本発明のユーザＩＤ通知方法及びシステムによれば、ログインしたユーザＩＤをページサイトの公開者に通知し、そのユーザを事前に特定させることができる。また、本発明によれば、デジタル展示会に限らず、ログインサーバ（主催者）の個人情報と、公開者（出展者）の個人情報とが相互に漏洩することなく、ログインしたユーザ（来場者）のユーザＩＤをページサイトの公開者（出展者）に通知し、そのユーザを事前に特定させることができる。
【図面の簡単な説明】
【００２１】
【図１】ユーザ端末から見たページサイトの構成を表す説明図である。
【図２】本発明におけるシステム構成図である。
【図３】本発明におけるシーケンス図である。
【図４】出展者から見た、公開者端末における来場者情報の登録画面である。
【図５】来場者から見た、ユーザ端末におけるログインサーバのログイン画面である。
【図６】出展者から見た、公開者端末のける出展者専用ページである。
【図７】来場者から見た、ユーザ端末におけるログイン直後のロビーサイトである。
【図８】案内メッセージのアドレスへ移動を表す説明図である。
【図９】来場者から見た、ユーザ端末における案内メッセージの誘導に基づく出展者パネルの表示画面である。
【図１０】本発明におけるＷｅｂサーバ及び照合装置の機能構成図である。
【発明を実施するための形態】
【００２２】
以下、本発明の実施の形態について、図面を用いて詳細に説明する。
【００２３】
図１は、ユーザ端末から見たページサイトの構成を表す説明図である。
【００２４】
図１によれば、ログインサーバ２は、ユーザ端末４へ、認証フォームを有するログインサイトを公開する。ユーザ端末４を操作するユーザの認証成功後、ログインサーバ２は、ユーザ端末４に、Ｗｅｂサーバ１のロビーサイト（ページサイト）へアクセスさせる。
【００２５】
Ｗｅｂサーバ１は、ユーザ端末４からアクセス可能なロビーサイト（ページサイト）を公開する。ロビーサイトでは最初に、エントランスパネルが閲覧でき、その後、スクロール方向に複数の「パネル」が並ぶ。デジタル展示会の場合、スクロール方向は、ユーザ端末４を操作する来場者の進行方向となり、スクロールは、来場者の歩行を意味する。その歩行方向に出展者のパネルが並んでいるように、ユーザに印象付ける。
パネルは、出展者専用サイトの入口となる画像又は動画であり、来場者はそのパネルから、出展者の専用サイトにアクセス（入場）することができる。
また、パネル毎に、「公開者ＩＤ」が紐付けられる。公開者ＩＤは、出展者の専用サイトにも紐付けられ、結果的に、公開者端末５を操作する出展者に対応付けられる。出展者の専用サイトは、その出展者が操作する公開者端末によって管理される。
【００２６】
図２は、本発明におけるシステム構成図である。
【００２７】
図２によれば、ユーザＩＤを通知するシステムであって、インターネットを介して、Ｗｅｂサーバ１と、ログインサーバ２と、照合装置３と、ユーザ端末４と、公開者端末５とが接続されている。
本発明のシステムは、例えばデジタル展示会の用途に基づくものであって、各装置を以下のように対応付けられる。
Ｗｅｂサーバ  ：展示会サーバ
ログインサーバ：主催者サーバ
ユーザ端末    ：来場者が操作する端末
公開者端末    ：出展者が操作する端末
尚、図２によれば、Ｗｅｂサーバ１、ログインサーバ２及び照合装置３はそれぞれ、クラウドサーバとして実装されるものであってもよい。
【００２８】
Ｗｅｂサーバ１は、複数のユーザ端末４からアクセス可能なロビーサイトと、出展者の専用サイトとを公開する。
【００２９】
ログインサーバ２は、ユーザ端末４に対するログインサイトを公開し、ログイン認証に成功すると、ユーザ端末４からＷｅｂサーバ１のロビーサイトへアクセスが可能となる。ログインサーバ２は予め、認証情報となるユーザＩＤ及びパスワードを対応付けて登録しておく。
また、展示会システムの場合、ログインサーバ２は、主催者によって運用管理されるものである。この場合、ログインサーバ２は、主催者自ら保有するユーザの個人情報（例えば名前、会社名、所属先など）を蓄積したものであってもよい。本発明のログインサーバ２は、来場者としてのユーザを認識し、ユーザＩＤを特定する。
【００３０】
ユーザ端末４は、ブラウザを搭載したパーソナルコンピュータ、スマートフォン又はタブレットであって、ログインサーバ２のログインサイトや、Ｗｅｂサーバ１の専用サイトアクセスすることができる。ユーザ端末４には、既存のブラウザが予めインストールされている。ブラウザとしては、具体的にはChrome（登録商標）、Firefox（登録商標）、Edge（登録商標）、Safari（登録商標）などがある。
【００３１】
公開者端末５は、Ｗｅｂサーバ１のパネル及び専用サイトを公開している公開者が操作する端末である。これも、ブラウザを搭載したパーソナルコンピュータ等である。
また、展示会システムの場合、公開者端末５は、出展者によって操作されるものであり、出展者自ら、ユーザの個人情報も保有する。そして、公開者端末は予め、自らの公開者ＩＤと共に、自ら保有するユーザＩＤ、個人情報及び案内メッセージを、照合装置３へ登録しておく。案内メッセージは、ユーザＩＤ毎に登録されるものであってもよい。
【００３２】
照合装置３は、本発明の特徴的なものであって、公開者端末５から受信したユーザＩＤと、ログインサーバ２にログインしたユーザＩＤとを照合するものである。照合装置３は予め、出展者の公開者ＩＤ毎に、ユーザＩＤ、個人情報及び案内メッセージを登録しておく。
ここで、照合装置３に登録される秘匿性を要する個人情報は、ログインサーバ２やＷｅｂサーバ１に転送されることはない。この点で、ログインサーバ２を管理する主催者が保有する個人情報と、照合装置３に登録する出展者が保有する個人情報とは、システム内で混在することもなく、相互に秘匿性が確保される。
【００３３】
図３は、本発明におけるシーケンス図である。
【００３４】
（Ｓ１）公開者端末５は、出展者の操作に応じて、照合装置３との間で認証シーケンスを実行する。
ここでは、ユーザＩＤ及びパスワードのような認証情報のみならず、多要素認証及び多段階認証を用いて、照合装置３にアクセス可能な公開者端末５に対するセキュリティを高めておく必要がある。照合装置３は、出展者における秘匿性を要する個人情報のユーザＩＤを登録するものであるためである。
多要素認証としては、例えば電子証明書や、ＩＣカード、セキュリティトークン、ＵＳＢトークン、乱数表、ワンタイムパスワード管理アプリ、指紋、静脈、網膜・光彩などの生体認証、スマートフォンを用いた認証アプリなどを用いることもできる。
多段階認証としては、例えば出展者の誕生日や質問回答を、更に入力させることもできる。
【００３５】
図４は、出展者から見た、公開者端末における来場者情報の登録画面である。
図４によれば、Ｓ１について、公開者の認証成功後、公開者端末５に表示される登録画面である。この登録画面は、照合装置３にアクセスし、ブラウザに表示されたものである。この登録画面によれば、公開者端末５は、出展者自ら保有する来場者のユーザＩＤと、ユーザ毎の個人情報（例えば名前、会社名、所属など）とを、照合装置３に登録することができる。また、来場者が展示会サイトにログインした際に直ぐに、その来場者に対して表示される「案内メッセージ」も登録することができる。
尚、ユーザＩＤとしては、例えばメールアドレスであってもよいし、グローバルなサービスにおけるアカウントやメッセージＩＤであってもよい。
【００３６】
照合装置３は、出展者毎に、セキュリティを確保した専用ディスクエリアを備える。また、照合装置３は、出展者が持つ「公開者ＩＤ」に紐付けて、「ユーザＩＤ」「個人情報」「案内メッセージ」を登録して管理する。
【００３７】
（Ｓ２）ログインサーバ２は、来場者の認証情報（ユーザＩＤ及びパスワード）と、主催者自ら保有する来場者の個人情報とを予め保持している。
最初に、来場者が操作するユーザ端末４は、ログインサーバ２へアクセスする。これに対し、ログインサーバ２は、ユーザ端末４へログインサイトを応答する。
【００３８】
図５は、来場者から見た、ユーザ端末におけるログインサーバのログイン画面である。
図５によれば、ログインサイトは、ユーザ端末４を操作する来場者に対して、ログインサイトに、ユーザＩＤ及びパスワードを入力させる。
ユーザＩＤ：bbb@bbb.jp
パスワード：******
入力されたユーザＩＤ及びパスワードは、ログインサーバ２へ送信され、ログインサーバ２は、認証の可否を判定する。
【００３９】
そして、ログインサーバ２は、認証成功後、ログイン認証に成功したユーザ端末のユーザＩＤを、Ｗｅｂサーバ１へ送信する。図３によれば、ユーザＩＤ：bbb@bbb.jpが、Ｗｅｂサーバ１へ送信されている。
【００４０】
Ｗｅｂサーバ１は、ユーザ端末４に対して、ＸＨＲ(XMLHttpRequest)のＡＰＩ(Application Programming Interface)を提供する。これによって、ユーザ端末４とＷｅｂサーバ１との間で、非同期通信を実現する。例えば、既に読み込んだページから更にＨＴＴＰ(Hyper Text Transfer Protocol)リクエストを送信することができ、ページを遷移することなく、データを送受信することができる。
ＸＨＲは、データの要求（GET）だけではなく、データの送信（POST）も可能となる。実装に使用しているコマンド（モジュール）としては、例えばaxios（登録商標）がある（例えば非特許文献２参照）。これは、ブラウザのコンテンツに対するボタンのクリックなどのイベント情報を、Ｗｅｂサーバへ送信することができる。
これによって、Ｗｅｂサーバ１は、ロビーサイトを、ユーザ端末４へ送信し、表示させることができる。
【００４１】
（Ｓ３）次に、Ｗｅｂサーバ１は、ログインサーバ２から受信したユーザＩＤ（例えばbbb@bbb.jp）を、照合装置３へ送信する。
【００４２】
（Ｓ４）これに対し、照合装置３は、Ｗｅｂサーバ１から受信したユーザＩＤが、いずれの「公開者ＩＤ」に対応して既に登録されているか否を判定する。そして、照合装置３は、真と判定した場合、その旨と共に、そのユーザＩＤに対応する公開者ＩＤを、Ｗｅｂサーバ１へ応答する。
このとき、照合装置３は、公開者ＩＤと共に、案内メッセージも、Ｗｅｂサーバ２へ送信する。
【００４３】
（Ｓ５）そして、Ｗｅｂサーバ１は、公開者ＩＤに対応する公開者端末５へ向けて、ユーザＩＤを通知する。ここで、Ｗｅｂサーバ１は、ユーザＩＤを含む出展者専用ページを、公開者端末５へ送信する。
ここで、出展者専用ページは、具体的にはJavaScript（登録商標）のようなＷｅｂブラウザ用のスクリプト言語で記述されたプログラムが組み込まれており、公開者端末５によって直ぐに実行される。これによって、公開者端末５は、ユーザＩＤを含む個人情報取得要求を、照合装置３へ送信する。
これに対し、照合装置３は、ユーザＩＤに対応する個人情報を、公開者端末５へ応答する。
そして、公開者端末５は、出展者専用ページの中で、ユーザＩＤに対応する個人情報を表示する。これによって、公開者端末５を操作する出展者は、展示会システムにログインしてきた来場者のユーザＩＤを視認することができると共に、そのユーザの個人情報も一緒に視認することができる。
【００４４】
図６は、出展者から見た、公開者端末のける出展者専用ページである。
図６によれば、出展者は、出展者専用ページによって、「bbb社」の「技術部」のユーザ「bbb@bbb.jp」さんが展示会に来場したことを、即時に認識することができる。
【００４５】
（Ｓ６）Ｗｅｂサーバ１は、ユーザ端末４へ案内メッセージを送信し、その案内メッセージをユーザ端末４のブラウザに表示させる。例えば、ユーザ端末４のブラウザに既に表示されているロビーサイトに、サブページが重畳的に表示され、そのサブページに案内メッセージが表示されるものであってもよい。
【００４６】
図７は、来場者から見た、ユーザ端末におけるログイン直後のロビーサイトである。
図７によれば、ロビーサイトに、案内メッセージのサブページが重畳的に表示されている。来場者は、ログインした直後、ロビーサイトを閲覧した時点で、出展者からの案内メッセージを視認することができる。来場者から見て、自らの個人情報を保有する出展者は、例えば取引先である場合も多い。
【００４７】
（Ｓ７）案内メッセージには、出展者専用サイトのアドレス（ＵＲＬ(Uniform Resource Locator)）が記述されていてもよい。また、ロビーサイトにおける出展者パネルのスクロール位置が記述されていてもよい。来場者は、その来場者は、そのアドレス又はスクロール位置をクリック（タップ）することができる。
これによって、ユーザ端末４のブラウザには、出展者専用サイト、又は、ロビーサイトの出展者パネルが表示される。
【００４８】
図８は、案内メッセージのアドレスへ移動を表す説明図である。
【００４９】
ユーザ端末４は、図７でクリックされた出展者のパネル又は専用サイトへ飛ぶことができる。
図８によれば、出展者のパネルへ飛ぶ場合を表す。ロビーサイトのスクロール方向が縦方向である場合、ブラウザの表示設定から「ブラウザの表示エリアの縦ピクセル数」を検出することができる。
ロビーサイトには、スクロール方向に複数のパネルが並んでおり、パネル毎に、以下の情報も予め設定されている。
「ロビーサイト先頭からパネル先頭までの縦ピクセル数」
「パネルの縦ピクセル数」
勿論、ロビーサイトのスクロール方向が横方向である場合、横ピクセル数を設定する。
【００５０】
ロビーサイトに組み込まれたプログラムを実行することによって、ブラウザの表示エリアの先頭位置を検出することができる。具体的にはJavaScript（登録商標）のようなＷｅｂブラウザ用のスクリプト言語で記述されたプログラムである。
これによって、ブラウザの表示エリアの縦ピクセル数から、出展者のパネルの位置を特定し、ブラウザの表示を飛ばせることができる。
【００５１】
図９は、来場者から見た、ユーザ端末における案内メッセージの誘導に基づく出展者パネルの表示画面である。
来場者は、展示会サイトにログインすると同時に、取引先である出展者から案内メッセージが届き、その案内メッセージのリンクアドレスをクリックすることによって、その出展者のパネル又は専用サイトへ飛ぶことができる。
【００５２】
図１０は、本発明におけるＷｅｂサーバ及び照合装置の機能構成図である。
【００５３】
［照合装置３］
照合装置３は、ユーザ情報登録部３０と、ユーザＩＤ判定部３２と、ユーザ情報送受信部３３と、認証機能３４とを有する。
ユーザ情報登録部３０は、公開者ＩＤ毎に、ユーザＩＤ、個人情報及び案内メッセージを登録する。これら情報は、出展者が操作する公開者端末５から受信したものである。
ユーザＩＤ判定部３２は、Ｗｅｂサーバ１から受信したユーザＩＤが既に登録されているか否を判定し、真と判定したユーザＩＤに対応する公開者ＩＤを、当該Ｗｅｂサーバへ応答する。
ユーザ情報送受信部３３は、公開者端末５に対して出展者専用ページを提示し、ユーザＩＤ、個人情報及び案内メッセージをユーザ情報登録部３０に登録させる。
認証機能３４は、公開者端末５を操作する出展者との間で、認証シーケンスを実行する。
【００５４】
［Ｗｅｂサーバ１］
Ｗｅｂサーバ１は、コンテンツ蓄積部１０と、ページサイト送信部１１と、照合要求部１２と、ユーザＩＤ通知部１３とを有する。
コンテンツ蓄積部１０は、複数の出展者のパネルが並ぶロビーサイトと、出展者毎の専用サイトとを蓄積する。
ページサイト送信部１１は、ユーザ端末４から受信したページ取得要求に応じて、そのページコンテンツ（最初にロビーサイト）を応答する。
照合要求部１２は、ログインサーバ２から受信したユーザＩＤを、照合装置３へ送信する。そして、照合装置３から、ユーザＩＤが登録されているか否か、及び、登録されている場合にはその公開者ＩＤ及び案内メッセージを受信する。照合装置３によって真と判定された場合、その公開者ＩＤを、ユーザＩＤ通知部１３へ出力する。
ユーザＩＤ通知部１３は、公開者ＩＤに対応する公開者端末へ向けて、当該ユーザＩＤを通知する。
尚、ユーザＩＤが照合装置３に登録されている場合、ページサイト送受信部１１は、案内メッセージを、ユーザ端末４へ送信し表示させる。
【００５５】
［ログインサーバ２］
ログインサーバ２は、ユーザ端末４との間でログイン認証シーケンスを実行し、認証成功の場合、ユーザ端末４からログインしたユーザＩＤを、Ｗｅｂサーバ１へ送信する。
【００５６】
［ユーザ端末４］
ユーザ端末４は、Ｗｅｂサーバ１からロビーサイトのページコンテンツを受信し、ユーザインタフェースとなるブラウザに表示する。ロビーサイトのページコンテンツには、前述したように例えばJavaScriptで記述されたプログラムが組み込まれており、ブラウザで直ぐに実行される。
【００５７】
以上、詳細に説明したように、本発明のユーザＩＤ通知方法及びシステムによれば、ログインしたユーザＩＤをページサイトの公開者に通知し、そのユーザを事前に特定させることができる。また、本発明によれば、デジタル展示会に限らず、ログインサーバ（主催者）の個人情報と、公開者（出展者）の個人情報とが相互に漏洩することなく、ログインしたユーザ（来場者）のユーザＩＤをページサイトの公開者（出展者）に通知し、そのユーザを事前に特定させることができる。
【００５８】
前述した本発明の種々の実施形態について、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【００５９】
１  Ｗｅｂサーバ
１０  コンテンツ蓄積部
１１  ページサイト送信部
１２  照合要求部
１３  ユーザＩＤ通知部
２  ログインサーバ
３  照合装置
３０  ユーザ情報登録部
３２  ユーザＩＤ判定部
３３  ユーザ情報送受信部
３４  認証機能
４  ユーザ端末
５  公開者端末
【要約】
【課題】ログインしたユーザＩＤをページサイトの公開者に通知する方法等を提供する。
【解決手段】ログインサーバと、Ｗｅｂサーバと、照合装置とを有するシステムを用いて、（Ｓ１）照合装置が、公開者ＩＤ毎に、ユーザＩＤを登録し、（Ｓ２）ログインサーバが、ログイン認証に成功したユーザ端末のユーザＩＤを、Ｗｅｂサーバへ送信し、（Ｓ３）Ｗｅｂサーバが、ログインサーバから受信したユーザＩＤを、照合装置へ送信し、（Ｓ４）照合装置が、Ｗｅｂサーバから受信したユーザＩＤが既に登録されているか否を判定し、真と判定したユーザＩＤに対応する公開者ＩＤを、当該Ｗｅｂサーバへ応答し、（Ｓ５）Ｗｅｂサーバが、公開者ＩＤに対応する公開者端末へ向けて、当該ユーザＩＤを通知する。
【選択図】図３【図１】
0006905645.tif 000002
【図２】
0006905645.tif 000003
【図３】
0006905645.tif 000004
【図４】
0006905645.tif 000005
【図５】
0006905645.tif 000006
【図６】
0006905645.tif 000007
【図７】
0006905645.tif 000008
【図８】
0006905645.tif 000009
【図９】
0006905645.tif 000010
【図１０】
0006905645.tif 000011